(57)【特許請求の範囲】
【請求項１】
基台の下から引き上げられて少なくとも導体の周囲が絶縁層にて被われた電力ケーブルの終端部において、
前記電力ケーブルの終端部の外周に、絶縁体で形成されて前記電力ケーブルを挿通可能なコーン貫通孔を有するコーン部材と、絶縁体で形成されて前記電力ケーブルを挿通可能な貫通孔であって前記コーン部材を収容可能な形状を有する貫通孔である保持部材貫通孔を有するコーン保持部材と、が装着され、
前記コーン部材と前記コーン保持部材とが装着された前記電力ケーブルの終端部における前記導体の先端に、導電体で形成された導体引出部材が接続され、
前記コーン部材と前記コーン保持部材とが装着され、かつ、前記導体引出部材が接続された前記電力ケーブルの終端部の外周を被うように、絶縁体で形成されて前記電力ケーブルを挿通可能な貫通孔であって前記コーン保持部材を収容可能な形状を有する貫通孔であるがい管貫通孔を有するがい管が被せられ、
少なくとも前記がい管が、前記基台に固定された複数の支持がいしに対して固定されて前記基台に対して立った状態である立設状態となるように固定され、かつ、前記がい管の先端部に、前記導体の先端に接続された前記導体引出部材が固定された状態とする、電力ケーブル終端部工事において、前記コーン保持部材を一時的に仮置きするための仮置き台であって、
複数の前記支持がいしに対して固定される複数の固定部と、
前記電力ケーブルを挿通可能な台部貫通孔を有して前記コーン保持部材を一時的に仮置きするための仮置き面を有する仮置き台部と、
前記固定部に対して前記仮置き台部を所定高さに保持する脚部と、を有する、
仮置き台。
【請求項２】
請求項１に記載の仮置き台であって、
複数の前記支持がいしのそれぞれは、上方に突出するピンを有し、
前記固定部のそれぞれは、前記ピンを挿通可能なピン貫通孔を有し、当該ピン貫通孔に前記ピンが挿通されることで、前記支持がいしに対して位置決めされて固定される、
仮置き台。
【請求項３】
請求項１または２に記載の仮置き台であって、
前記脚部は、互いに交差する第１支持脚と第２支持脚とが一対で構成され、
前記第１支持脚の一方端には、前記第１支持脚に対して前記仮置き台部を回動可能に支持する回動接続機構が設けられ、
前記第２支持脚の一方端には、前記第２支持脚に対して前記仮置き台部を係止状態あるいは係止解除状態とすることが可能な係止機構が設けられ、
前記第１支持脚と前記第２支持脚とはこれらの両支持脚が交差する箇所を支点として互いに回動可能に支持されている仮置き台。
【請求項４】
請求項１〜３のいずれか一項に記載の仮置き台であって、
前記仮置き台部には、前記仮置き面の縁部の一部から前記台部貫通孔に至る切欠空間部が形成されている仮置き台。
【請求項５】
請求項１〜４のいずれか一項に記載の仮置き台であって、
前記台部貫通孔の内径は、前記コーン部材の外形よりも大きい寸法に設定されている仮置き台。
【請求項６】
請求項１〜５のいずれか一項に記載の仮置き台であって、前記仮置き面にはゴムシートが張られている仮置き台。
【請求項７】
請求項１〜６のいずれか一項に記載の仮置き台を用いた電力ケーブル終端部工事方法であって、
前記電力ケーブルの終端部を加工して、先端側から前記導体と前記絶縁層とを所定の寸法で露出させるケーブル加工ステップと、
前記電力ケーブルの終端部の外周に前記コーン部材を装着するコーン部材装着ステップと、
前記仮置き台の前記固定部を前記支持がいしに対して固定する仮置き台固定ステップと、
前記コーン部材を装着した前記電力ケーブルの終端部の外周に前記コーン保持部材を装着するコーン保持部材装着ステップと、
前記電力ケーブルの終端部に装着した前記コーン保持部材を前記仮置き台の前記仮置き面上に仮置きする仮置きステップと、
前記コーン保持部材を前記仮置き台の前記仮置き面上に仮置きした状態で、前記電力ケーブルの終端部における前記導体の先端に前記導体引出部材を接続する導体接続ステップと、
前記導体の先端に前記導体引出部材を接続した前記電力ケーブルの終端部の外周を被うように前記がい管を被せるがい管装着ステップと、
前記電力ケーブルの終端部に前記がい管を被せた状態で、前記仮置き台の前記固定部を前記支持がいしから取外す仮置き台取外しステップと、
前記電力ケーブルの終端部に前記がい管を被せた状態で前記がい管を基台に対して立設状態となるように支持がいしに対して固定するがい管固定ステップと、
前記支持がいしに対して固定した前記がい管の先端部に、前記導体引出部材を固定する導体固定ステップと、を有する電力ケーブル終端部工事方法。
【発明の詳細な説明】
【技術分野】
【０００１】
本発明は、電力ケーブル終端部工事に用いられる仮置き台、及び電力ケーブル終端部工事方法に関する。
【背景技術】
【０００２】
例えば、変電所には、高圧の電力ケーブルが複数本接続されている。各電力ケーブルの終端部では、後述の電力ケーブル終端部構造を組み立てるための電力ケーブル終端部工事が施され、後述のがい管が立設されている。
【０００３】
特許文献１には、一般的な電力ケーブル終端部構造が開示されている。この電力ケーブル終端部構造において、電力ケーブルの終端部の先端では電力ケーブル内部の導体が露出され、この導体の先端には導体引出部材が接続されている。電力ケーブルの終端部の基端側には、絶縁性のコーン部材（ゴムストレスコーン）および、コーン部材の電界を緩和するためのコーン保持部材（エポキシ座）が装着されている。なお、電力ケーブルの終端部、導体引出部材、コーン部材、コーン保持部材は、立設されたがい管の内部に配置されている。
【０００４】
ところで、電力ケーブルが大径の場合、電力ケーブルの導体に接続される導体引出部材の接続部分が、コーン保持部材における電力ケーブルを挿通させるための保持部材貫通孔の径よりも大きくなることがある。この場合、電力ケーブル終端部工事の手順として、コーン保持部材を電力ケーブルに装着させた後で電力ケーブルの導体に導体引出部材を接続する必要がある。従来の電力ケーブル終端部工事では、コーン保持部材を電力ケーブルに装着させた後、作業者がコーン保持部材を所定の高さに保持した状態で、他の作業者が電力ケーブルの導体に導体引出部材を接続することで対応している。
【先行技術文献】
【特許文献】
【０００５】
【特許文献１】特開２０１１−２５９５５８号公報
【発明の概要】
【発明が解決しようとする課題】
【０００６】
従来の電力ケーブル終端部工事の方法によって大径の電力ケーブルに対応する場合、電力ケーブルの導体に導体引出部材を接続する間、作業者はコーン保持部材を所定の高さに保持することを強いられ、その分、他の作業を行うことができない。また、コーン保持部材は非常に重量が大きい（例えば５〜６ｋｇ程度）ため、コーン保持部材を所定の高さに保持することで作業者に大きな負担がかかる。
【０００７】
本発明は、このような課題を解決しようとするものであって、その目的は、電力ケーブル終端部工事においてコーン保持部材を所定高さで保持することが必要な間、作業者がコーン保持部材を所定の高さで保持することを不要とすることである。
【課題を解決するための手段】
【０００８】
本発明は、前述の目的を達成するためのもので、以下のように構成されている。本発明の仮置き台は、基台の下から引き上げられて少なくとも導体の周囲が絶縁層にて被われた電力ケーブルの終端部において、この電力ケーブルの終端部の外周に、絶縁体で形成されて電力ケーブルを挿通可能なコーン貫通孔を有するコーン部材と、絶縁体で形成されて電力ケーブルを挿通可能な貫通孔であってコーン部材を収容可能な形状を有する貫通孔である保持部材貫通孔を有するコーン保持部材と、が装着され、コーン部材とコーン保持部材とが装着された電力ケーブルの終端部における導体の先端に、導電体で形成された導体引出部材が接続され、コーン部材とコーン保持部材とが装着され、かつ、導体引出部材が接続された電力ケーブルの終端部の外周を被うように、絶縁体で形成されて電力ケーブルを挿通可能な貫通孔であってコーン保持部材を収容可能な形状を有する貫通孔であるがい管貫通孔を有するがい管が被せられ、少なくともがい管が、基台に固定された複数の支持がいしに対して固定されて基台に対して立った状態である立設状態となるように固定され、かつ、がい管の先端部に、導体の先端に接続された導体引出部材が固定された状態とする、電力ケーブル終端部工事において、コーン保持部材を一時的に仮置きするための仮置き台である。仮置き台は、複数の支持がいしに対して固定される複数の固定部と、電力ケーブルを挿通可能な台部貫通孔を有してコーン保持部材を一時的に仮置きするための仮置き面を有する仮置き台部と、固定部に対して仮置き台部を所定高さに保持する脚部と、を有する。
【０００９】
さらに好ましくは、仮置き台をつぎのような構成とすることである。まず、複数の支持がいしのそれぞれが、上方に突出するピンを有している。そして、仮置き台の固定部のそれぞれが、支持がいしのピンを挿通可能なピン貫通孔を有し、当該ピン貫通孔に支持がいしのピンが挿通されることで、支持がいしに対して位置決めされて固定される。
【００１０】
さらに好ましくは、仮置き台をつぎのような構成とすることである。仮置き台の脚部は、互いに交差する第１支持脚と第２支持脚とが一対で構成され、第１支持脚の一方端には、第１支持脚に対して仮置き台部を回動可能に支持する回動接続機構が設けられている。第２支持脚の一方端には、第２支持脚に対して仮置き台部を係止状態あるいは係止解除状態とすることが可能な係止機構が設けられている。そして、第１支持脚と第２支持脚とはこれらの両支持脚が交差する箇所を支点として互いに回動可能に支持されている。
【００１１】
さらに好ましくは、仮置き台の仮置き台部には、仮置き面の縁部の一部から台部貫通孔に至る切欠空間部が形成されていることである。
【００１２】
さらに好ましくは、仮置き台における台部貫通孔の内径は、コーン部材の外形よりも大きい寸法に設定されていることである。
【００１３】
さらに好ましくは、仮置き台の仮置き面にゴムシートが張られていることである。
【００１４】
本発明の電力ケーブル終端部工事方法は、前述の仮置き台を用いた電力ケーブル終端部工事方法である。電力ケーブル終端部工事方法は、電力ケーブルの終端部を加工して、先端側から導体と絶縁層とを所定の寸法で露出させるケーブル加工ステップと、電力ケーブルの終端部の外周にコーン部材を装着するコーン部材装着ステップと、仮置き台の固定部を支持がいしに対して固定する仮置き台固定ステップと、コーン部材を装着した電力ケーブルの終端部の外周にコーン保持部材を装着するコーン保持部材装着ステップと、電力ケーブルの終端部に装着したコーン保持部材を仮置き台の仮置き面上に仮置きする仮置きステップと、コーン保持部材を仮置き台の仮置き面上に仮置きした状態で、電力ケーブルの終端部における導体の先端に導体引出部材を接続する導体接続ステップと、導体の先端に導体引出部材を接続した電力ケーブルの終端部の外周を被うようにがい管を被せるがい管装着ステップと、電力ケーブルの終端部にがい管を被せた状態で、仮置き台の固定部を支持がいしから取外す仮置き台取外しステップと、電力ケーブルの終端部にがい管を被せた状態でがい管を基台に対して立設状態となるように支持がいしに対して固定するがい管固定ステップと、支持がいしに対して固定したがい管の先端部に、導体引出部材を固定する導体固定ステップと、を有する。
【発明の効果】
【００１５】
本発明の仮置き台では、固定部に対して、コーン保持部材を一時的に仮置きするための仮置き台部が所定高さに保持される。このことから、例えば、電力ケーブルが大径の場合に要求される、電力ケーブルにコーン保持部材を装着させた後に電力ケーブルの導体に導体引出部材を接続する作業や、その後、電力ケーブルにがい管を被せる作業において、コーン保持部材を仮置き台部で所定高さに保持できる。そのため、電力ケーブル終端工事においてコーン保持部材を所定高さで保持することが必要な間、作業者がコーン保持部材を所定の高さで保持することが不要とされ、その分、作業者はコーン保持部材を保持する負担が軽減されるとともに他の作業に専念することができ、工事の施工効率が上がる。
【００１６】
本発明の仮置き台では、固定部が、がい管を固定するための支持がいしを利用して位置きめされることから、仮置き台専用の位置決め部材を基台側に新たに設ける必要がない。そのため、電力ケーブル終端工事の設備コストが抑えられる。また、本発明の仮置き台では支持がいしを介して仮置き台を確実に基台に固定することができる。
【００１７】
本発明の仮置き台では、第１支持脚と仮置き台部とが回動接続機構にて接続され、第２支持脚と仮置き台部とが係止機構にて係止状態あるいは係止解除状態となるように構成され、第１支持脚と第２支持脚とが互いに回動可能に支持されている。これによって、仮置き台は、支持がいしから取外された際コンパクトに折りたたむことができる（図２１参照）ので、収納時や持ち運び時に便利である。
【００１８】
本発明の仮置き台では、仮置き面の縁部の一部から台部貫通孔に至る切欠空間部が形成されている。このことから、仮置き台は、電力ケーブルが切欠空間部を通じて台部貫通孔に位置するように前進させることができ（図５,６,１５,１６参照）、また、電力ケーブルが切欠空間部を通じて仮置き台から外れた位置にくるように後退させることができる（図９,１０,１５,１６参照）。そのため、電力ケーブル終端工事において仮置き台を利用しても電力ケーブルを動かす必要はなく、工事の各作業工程に影響がない。
【００１９】
本発明の仮置き台では、台部貫通孔の内径が、コーン部材の外形よりも大きい寸法に設定されている。このことから、例えば仮置き面にコーン保持部材を仮置きした状態で、台部貫通孔を通じてコーン部材を下からコーン保持部材の保持部材貫通孔に配置させることができる。この作業の間、作業者はコーン保持部材を所定の高さで保持することが不要であり、その分、他の作業に専念することができる。そのため、電力ケーブル終端工事の施工効率が上がる。
【００２０】
本発明の仮置き台では、仮置き面にゴムシートが張られている。そのため、仮置き面に仮置きされたコーン保持部材の損傷を防止できる。
【００２１】
本発明の電力ケーブル終端部工事方法では、コーン保持部材を電力ケーブルに装着した後、コーン保持部材を仮置き面に仮置きした状態で電力ケーブルの導体に導体引出部材を接続し、また、がい管を電力ケーブルに被せる。そのため、これらの作業の間、作業者がコーン保持部材を所定の高さで保持することが不要とされ、その分、作業者は他の作業に専念することができ、工事の施工効率が上がる。
【図面の簡単な説明】
【００２２】
【図１】電力ケーブル終端部構造を一部断面によって表した側面図。
【図２】電力ケーブルの断面図。
【図３】加工処理された電力ケーブルの終端部の斜視図。
【図４】仮置き台を用いた電力ケーブル終端部工事方法の一工程を一部断面によって表した側面図。
【図５】仮置き台を用いた電力ケーブル終端部工事方法における図４につづく工程を一部断面によって表した側面図。
【図６】仮置き台を用いた電力ケーブル終端部工事方法における図５につづく工程を一部断面によって表した側面図。
【図７】仮置き台を用いた電力ケーブル終端部工事方法における図６につづく工程を一部断面によって表した側面図。
【図８】仮置き台を用いた電力ケーブル終端部工事方法における図７につづく工程を一部断面によって表した側面図。
【図９】仮置き台を用いた電力ケーブル終端部工事方法における図８につづく工程を一部断面によって表した側面図。
【図１０】仮置き台を用いた電力ケーブル終端部工事方法における図９につづく工程を一部断面によって表した側面図。
【図１１】仮置き台を用いた電力ケーブル終端部工事方法における図１０につづく工程を一部断面によって表した側面図。
【図１２】仮置き台を用いた電力ケーブル終端部工事方法における図１１につづく工程を一部断面によって表した側面図。
【図１３】仮置き台を用いた電力ケーブル終端部工事方法における図１２につづく工程を一部断面によって表した側面図。
【図１４】仮置き台を用いた電力ケーブル終端部工事方法における図１３につづく工程を一部断面によって表した側面図。
【図１５】支持がいしに対して固定された仮置き台及び仮置き台の周囲の斜視図。
【図１６】図１５をXVI方向から視た上面図。
【図１７】図１５をXVII方向から視た正面図。
【図１８】支持がいしから取外された状態の仮置き台の側面図。
【図１９】図１８の状態から第２支持脚に対する仮置き台部の係止を解除した状態の仮置き台の側面図。
【図２０】図１９の状態から第２支持脚を第１支持脚に対して回動させた状態の仮置き台の側面図。
【図２１】仮置き台の折りたたみ状態を表した側面図。
【発明を実施するための形態】
【００２３】
以下、本発明を実施するための形態を、図面を用いて説明する。
【００２４】
＜電力ケーブル終端部構造（図１）と電力ケーブルの終端部（図２,３）＞
後述する電力ケーブル終端部工事の完了状態である電力ケーブル終端部構造１００（図１参照）を、電力ケーブル１１０の終端部の構成（図２,３参照）と併せて説明する。図１に示す電力ケーブル終端部構造１００は、基台２００の上に引き上げられた電力ケーブル１１０の終端部（図３参照）と、電力ケーブル１１０の終端部を被うようにして配置されたがい管１２０と、がい管１２０の内部に配置されたコーン部材１３０とコーン保持部材１４０と、を含んで構成されている。基台２００は、地上あるいは鉄塔上に配置されている。
【００２５】
電力ケーブル１１０は、例えば、中心の導体１１２を被覆する絶縁層１１４の外側にシールド線１１６、シース１１８等が設けられた構成となっている（図２参照）。なお、電力ケーブル１１０の断面構造は、図２の例に示す構造に限定されるものではない。電力ケーブル１１０の終端部においては、電力ケーブル１１０が段階的に剥かれた状態に加工処理されており（図３参照）、先端側から順に導体１１２、絶縁層１１４、シールド線１１６等が所定の長さで露出している。
【００２６】
がい管１２０は、絶縁体（例えばセラミックス）で形成され、がい管貫通孔１２０ａを有する(図１参照)。がい管貫通孔１２０ａは、電力ケーブル１１０を挿通可能であり、かつ、コーン部材１３０およびコーン保持部材１４０を収容可能な形状である。
【００２７】
コーン部材１３０は、絶縁体（例えばゴム）で形成され、コーン貫通孔１３０ａを有する(図１参照)。コーン貫通孔１３０ａは、電力ケーブル１１０を挿通可能である。コーン部材１３０の形状は紡錘状である。
【００２８】
コーン保持部材１４０は、絶縁体（例えばエポキシ樹脂）で形成され、保持部材貫通孔１４０ａを有する(図１参照)。保持部材貫通孔１４０ａは、電力ケーブル１１０を挿通可能であり、かつ、コーン部材１３０を収容可能な形状である。コーン保持部材１４０は、上方にしぼんだ略円筒上に形成され、フランジ部１４０ｂを有する。
【００２９】
電力ケーブル終端部構造１００における各部材の組付き状態について詳しく説明する。がい管１２０は、基台２００に固定された計４個の支持がいし２１０によって、基台２００に対して立った状態である立設状態に固定されている（図１参照）。なお、図１においては２個の支持がいしのみが見えている。計４個の支持がいし２１０は、電力ケーブル１１０の軸心を中心に、平面視で矩形状に配置されている。
【００３０】
がい管１２０の内部には、絶縁油Ｆが充填されている（図１参照）。がい管１２０の下端部においては、電力ケーブル１１０の絶縁層１１４の外周にコーン部材１３０が装着されている。そして、このコーン部材１３０を被うようにしてコーン保持部材１４０が装着されている。コーン部材１３０の下方にはコーン部材圧縮装置１５０が設けられている。コーン部材１３０は、コーン部材圧縮装置１５０によって、コーン保持部材１４０の保持部材貫通孔１４０ａの内面に対して適切な圧力で押し付けられている。コーン部材圧縮装置１５０は、保護金物１６０で被われている。保護金物１６０の内部においては、シールド線１１６がコーン部材圧縮装置１５０に接続されている。
【００３１】
がい管１２０の上端部においては、電力ケーブル１１０の導体１１２の先端に導体引出部材１７０が接続されている（図１参照）。導体引出部材１７０は、電力ケーブル１１０の導体１１２の先端を接続するための円筒状の接続部１７０ａを備え、図１に示す状態においてはこの接続部１７０ａが外側から圧縮された状態で導体１１２の先端に固定されている。導体引出部材１７０の接続部１７０ａから電力ケーブル１１０の絶縁層１１４の上端部にかけては、絶縁油Ｆが電力ケーブル１１０の内部に入り込むのを防ぐための絶縁テープＰが巻きつけられている。なお、電力ケーブル１００の導体１１２に接続された導体引出部材１７０の接続部１７０ａの径は、コーン保持部材１４０の保持部材貫通孔１４０ａの径よりも大きい場合がある。
【００３２】
導体引出部材１７０は上部金物１８０,１８５を介してがい管１２０の上端部に固定されている（図１参照）。導体引出部材１７０の先端は、上部金物１８０,１８５の上方に配置された上部シールド１９０を貫通している。導体引出部材１７０は導電体で形成され、その先端が架空線等に電気的に接続される。
【００３３】
＜電力ケーブル終端部工事の作業工程（図１乃至１４参照）＞
電力ケーブル終端部構造１００（図１参照）を組み立てるための工事である電力ケーブル終端部工事の工程（電力ケーブル終端部工事方法）を主として図１乃至１４によって説明する。なお、図１乃至１４においては、がい管１２０、コーン部材圧縮装置１５０、上部金物１８０,１８５、上部シールド１９０が断面によって表されている。図１および図１０乃至１４においては、コーン保持部材１４０が断面によって表されている。図１および図１３,１４においては、保護金物１６０が断面によって表されている。
【００３４】
電力ケーブル終端部工事では、後で詳しく説明する仮置き台１（図１５乃至１７参照）が用いられる。仮置き台１は、各支持がいし２１０に対して固定される固定部３０と、コーン保持部材１４０を仮置きするための仮置き台部１０と、仮置き台部１０を固定部３０に対して所定高さに保持する脚部２０（第１支持脚２２および第２支持脚２４）とを備えている（図１５参照）。仮置き台部１０は仮置き面１２ａと台部貫通孔１２ｂと切欠空間部１２ｃとを備えている。
【００３５】
以下、電力ケーブル終端部工事方法を説明する。まず、電力ケーブル１１０の終端部を基台貫通孔２００ａから引き上げて加工し、先端側から順に導体１１２、絶縁層１１４、シールド線１１６等を所定の寸法で露出させる（図３参照）。また、基台２００に各支持がいし２１０を固定する（図４参照）。電力ケーブル１１０の終端部を加工して先端側から導体１１２、絶縁層１１４、シールド線１１６等を露出させる工程が本発明の「ケーブル加工ステップ」に相当する。なお、引き上げられた電力ケーブル１１０は、図示しない規制手段によって上下方向に延びた状態に維持され、かつ、下方に下がらないように規制される。
【００３６】
つづいて、電力ケーブル１１０の終端部に対して、保護金物１６０とコーン部材圧縮装置１５０とコーン部材１３０とをこの順に装着させる（図４参照）。これらの各部材１３０,１５０,１６０は、適宜の支持手段によって電力ケーブル１１０に対して上下方向の所定位置で位置決めされる。コーン部材１３０を電力ケーブル１１０の終端部に装着させる工程が、本発明の「コーン部材装着ステップ」に相当する。
【００３７】
つづいて、仮置き台１（図１５乃至１７参照）を各支持がいし２１０に設置する（図５参照）。具体的には、まず、仮置き台１（図１５乃至１７参照）の前端（切欠空間部１２ｃの側）を電力ケーブル１１０に臨ませる。そして、仮置き台１を、電力ケーブル１１０が切欠空間部１２ｃ（図１５,１６参照）を通過して台部貫通孔１２ｂに位置する所まで前進させる。この後、仮置き台１を下方へ下ろして、仮置き台１の各固定部３０を各支持がいし２１０のピン２１０ａに対して固定する（図６参照）。仮置き台１の各固定部３０を各支持がいし２１０に対して固定する工程が、本発明の「仮置き台固定ステップ」に相当する。なお、図１５はこの状態における仮置き台１の周囲の斜視図である。ただし、図１５においてはコーン部材圧縮装置１５０と保護金物１６０とが省略されている。
【００３８】
つづいて、コーン保持部材１４０をその保持部材貫通孔１４０ａに電力ケーブル１１０が挿通されるように下方へ下ろし（図６参照）、電力ケーブル１１０の終端部にコーン保持部材１４０を装着させる（図７参照）。電力ケーブル１１０に装着されたコーン保持部材１４０は、仮置き台１の仮置き面１２ａに仮置きされる。コーン保持部材１４０は、そのフランジ部１４０ｂが仮置き面１２ａの各ガイド部Ｇ（図１５,１６参照）によって配置を位置決めされる。コーン部材１３０を装着した電力ケーブル１１０の外周にコーン保持部材１４０を装着させる工程が、本発明の「コーン保持部材装着ステップ」に相当する。電力ケーブル１１０の終端部に装着させたコーン保持部材１４０を仮置き台１の仮置き面１２ａに仮置きする工程が、本発明の「仮置きステップ」に相当する。
【００３９】
仮置き台１が無かった従来においては、図７に示す状態から図１０に示す状態までの作業の間、作業者がコーン保持部材１４０を所定高さで保持していなければならなかったが、仮置き台１を用いる本願ではこれらの作業の間において作業者によるコーン保持部材１４０の保持が不要である。
【００４０】
コーン保持部材１４０を仮置き台１の仮置き面１２ａに仮置きした後、電力ケーブル１１０の導体１１２の先端に導体引出部材１７０を接続する（図７参照）。また、導体引出部材１７０の接続部１７０ａを圧縮し、導体引出部材１７０を導体１１２の先端に固定する。そして、導体引出部材１７０の接続部１７０ａから電力ケーブル１１０の絶縁層１１４の上端部にかけて、絶縁テープＰを巻きつける（図８参照）。仮置き台１の仮置き面１２ａにコーン保持部材１４０を仮置きした状態で電力ケーブル１００の導体１１２の先端に導体接続部材１７０を接続する工程が、本発明の「導体接続ステップ」に相当する。
【００４１】
つづいて、がい管１２０を電力ケーブル１１０の終端部を被うように被せる（図９参照）。そして、がい管１２０を所定高さに保持した状態で、コーン保持部材１４０を仮置き台１０から持ち上げてがい管１２０のがい管貫通孔１２０ａに進入させる（図１０参照）。がい管１２０の下端部外縁にコーン保持部材１４０のフランジ部１４０ｂが接触したところで、両者１２０,１４０をボルトによって固定する。がい管１２０を電力ケーブル１００の終端部を被うように被せる工程が、本発明の「がい管装着ステップ」に相当する。
【００４２】
がい管１２０が持ち上げられている間に、仮置き台１の撤去作業を行う。まず、仮置き台１の各固定部３０を各支持がいし２１０のピン２１０ａから取外す。そして、電力ケーブル１１０が仮置き台１の切欠空間部１２ｃ（図１５,１６参照）を通じて仮置き台１から外れた位置にくるように仮置き台１を後退させる（図１０参照）。電力ケーブル１００にがい管１２０を被せた状態で、仮置き台１の各固定部３０を各支持がいし２１０から取外す工程が、本発明の「仮置き台取外しステップ」に相当する。
【００４３】
この後、がい管１２０を各支持がいし２１０に支持される位置まで降ろしてそのまま各支持がいし２１０のピン２１０ａによって立設状態に固定する（図１１参照）。なお、コーン部材１３０は、コーン保持部材１４０の保持部材貫通孔１４０ａに配置される。電力ケーブル１００にがい管１２０を被せた状態でがい管１２０を基台２００に対して立設状態となるように各支持がいし２１０に対して固定する工程が、本発明の「がい管固定ステップ」に相当する。
【００４４】
がい管１２０の立設後においては、電力ケーブル１１０の終端部を上方に押し上げる（図１２参照）。そして、上部金物１８０,１８５を介して、導体引出部材１７０をがい管１２０の上端部に固定する。その後、電力ケーブル１１０を下方へ引っ張り、電力ケーブル１１０を引張状態とする。
【００４５】
つぎに、コーン部材圧縮装置１５０をコーン保持部材１４０のフランジ部１４０ｂに対してボルトで締め上げる（図１２参照）。これによって、コーン押圧装置１５０の弾性手段（例えばスプリング）がコーン部材１３０を上方に押し付けるように作用して、コーン部材１３０がコーン保持部材１４０の保持部材貫通孔１４０ａの内面に対して適切な圧力で押し付けられる。コーン部材圧縮装置１５０を締め上げた後、電力ケーブル１１０のシールド線１１６をコーン部材圧縮装置１５０に接続する。
【００４６】
つづいて、保護金具１６０を上方に押し上げてコーン部材圧縮装置１５０を被うように配置させる（図１３参照）。保護金具１６０の下端部から電力ケーブル１１０のシース１１８にかけては防水テープＶを巻きつける（図１４参照）。がい管１２０の上端部においては、一旦、上部金物１８０,１８５を取外す。そして、がい管１２０の上端部からがい管貫通孔１２０ａに絶縁油Ｆを充填する。
【００４７】
最後に、上部金物１８０,１８５を介して、導体引出部材１７０をがい管１２０の上端部に固定する（図１参照）。また、上部シールド１９０でがい管１２０の上端部を被う。がい管１２０の上端部に導体引出部材１７０を固定する工程が、本発明の「導体固定ステップ」に相当する。
【００４８】
＜仮置き台の構成（図１５乃至２１）＞
前述の電力ケーブル終端部工事方法で用いた仮置き台１を図１５乃至２１によって説明する。仮置き台１は、電力ケーブル終端部工事において、コーン保持部材１４０を一時的に仮置きするための台である。図１５乃至１７に示すように、仮置き台１は、各支持がいし２１０に対して固定される複数の固定部３０と、コーン保持部材１４０を仮置きするための仮置き台部１０と、固定部３０に対して仮置き台部１０を所定高さに保持する脚部２０とを有している。
【００４９】
仮置き台部１０は、矩形状の平板部１２と、平板部１２の両側部から下方へ延びた側板部１４と、平板部１２の後端から下方へ延びた後板部１６と、によって構成されている（図１５乃至１７参照）。平板部１２の中心は、固定部３０が支持がいし２１０に固定された状態で、電力ケーブル１１０および電力ケーブル１１０に装着されたコーン部材１３０の軸心上に位置している。なお、平板部１２の形状は矩形に限定されるものではなく、側板部１４、後板部１６は省略してもよい。
【００５０】
平板部１２の上面は、コーン保持部材１４０を仮置き可能な仮置き面１２ａとなっている（図１５乃至１７参照）。仮置き面１２ａ全体にはゴムシートが張られている。仮置き面１２ａの４隅近傍には、仮置きされるコーン保持部材１４０の配置位置を規制するためのガイド部Ｇが設けられている。各ガイド部Ｇは、上方に突出した板状に形成され、仮置き面１２ａの中心から所定半径の円弧に沿うように配置されている。そして、ガイド部Ｇは、仮置きされるコーン保持部材１４０の軸心が仮置き面１２ａの中心に位置するようにコーン保持部材１４０のフランジ部１４０ｂの外周位置を規制する。
【００５１】
平板部１２において、平面視でコーン部材１３０に対応する箇所には、該平板部１２を厚み方向に貫通した台部貫通孔１２ｂが設けられている（図１５,１６参照）。台部貫通孔１２ｂの内径は、平面視されたコーン部材１３０の外径よりも大きい寸法に設定されている。
【００５２】
平板部１２において、その前縁から台部貫通孔１２ｂに至る部分には、該平板部１２を厚み方向に貫通した切欠空間部１２ｃが設けられている（図１５,１６参照）。切欠空間部１２ｃの通路幅Ｈは、電力ケーブル１１０のシース１１８の直径よりも大きい寸法に設定されている（図１６参照）。
【００５３】
両側板部１４にはそれぞれ、下方へ延びる脚部２０が取付けられている（図１５乃至１８参照）。各脚部２０は互いに交差する第１支持脚２２と第２支持脚２４とが一対で構成されている。例えば、第１支持脚２２は側板部１４に対して仮置き台部１０の内方側に、第２支持脚２４は側板部１４に対して仮置き台部１０の外方側に、それぞれ配置されている。
【００５４】
第１支持脚２２の一方端には、第１支持脚２２に対して仮置き台部１０を回動可能に支持する回転接続機構が設けられている。例えば、回転接続機構は、ボルトＢ１が第１支持脚２２の一方端と側板部１４の後端部とに挿通されることで構成されている（図１５乃至１８参照）。
【００５５】
第２支持脚２４の一方端には、第２支持脚２４に対して仮置き台部１０を係止状態あるいは係止解除状態とすることが可能な係止機構が設けられている。例えば、係止機構は、第２支持脚２４が有する突出部２４ａ（図１６,１８参照）と、側板部１４が有する切り欠き部１４ａ（図１８参照）とによって構成されている。突出部２４ａは、第２支持脚２４の一方端において仮置き台部１０の内方側へ突出形成されている。切り欠き部１４ａは、側板部１４の前端部において第２支持脚２４の突出部２４ａに嵌る形状に形成されている。
【００５６】
第２支持脚２４の突出部２４ａに対して側板部１４の切り欠き部１４ａが掛けられることで、図１８に示すようにして第２支持脚２４に対して仮置き台部１０を係止状態とすることができる。この係止状態は、第１支持脚２２あるいは仮置き台部１０のいずれか一方を他方に対して回動させることで解除できる（図１９参照）。
【００５７】
図１５乃至２１に示すように、第１支持脚２２および第２支持脚２４は、これらの両支持脚２２,２４が交差する箇所でボルトＢ２によって互いに回動可能に支持されている。
【００５８】
第１支持脚２２は、ボルトＢ１が設けられた側と反対側の端部に、ボルトＢ３によって固定された固定部３０を有する（図１５乃至１８参照）。第２支持脚２４は、突出部２４ａを有する側と反対側の端部に、ボルトＢ３によって固定された固定部３０を有する。図１７,１８に示すように、各固定部３０は、支持がいし２１０のピン２１０ａを挿通可能なピン貫通孔３０ａを有する。各固定部３０のピン貫通孔３０ａに支持がいし２１０のピン２１０ａが挿通されることで、それぞれの支持脚２２,２４が支持がいし２１０に対して位置決めされ、かつ、固定される。なお、支持がいし２１０のピン２１０ａにはねじが切られており、ピン貫通孔３０ａに挿通された支持がいし２１０のピン２１０ａにナット（図示省略）を締めてもよい。
【００５９】
図１８乃至２１に示すように、仮置き台１は、図１８に示す使用可能状態から、図２１に示す折りたたみ状態へと態様を変更可能である。この変更過程について説明する。まず、使用可能状態にある仮置き台１の仮置き台部１０を、第１支持脚２２に対して上方へ回動させ（図１９参照）、第２支持脚２４と仮置き台部１０との係止状態を解除する。両者２４,１０の係止状態を解除するために、第１支持脚２２を仮置き台部１０に対して下方へ回動させてもよい。つぎに、第１支持脚２２および第２支持脚２４をボルトＢ２を支点に回動させて、第１支持脚２２の固定部３０と、第２支持脚２４の突出部２４ａとを近づける（図２０参照）。そして、両支持脚２２,２４を略平行に配置させる。最後に、両支持脚２２,２４を略平行に配置したまま、仮置き台部１０を第１支持脚２２に対して下方へ回動させる、あるいは、第１支持脚２２を仮置き台部１０に対して上方へ回動させて、仮台置き部１０と両支持脚２２,２４とを互いに近づける。これによって、仮置き台１は、平板部１２に沿って両支持脚２２,２４が配置された図２１に示す折りたたみ状態となる。なお、作業者は後板部１６に設けられた取手部Ｔをつかんで、折りたたみ状態の仮置き台１を持ち運ぶことがでできる。
【００６０】
＜発明の効果＞
本発明の仮置き台１では、固定部３０に対して、コーン保持部材１４０を一時的に仮置きするための仮置き台部１０が所定高さに保持される（図６乃至９,図１７参照）。このことから、電力ケーブル１１０が大径である場合に要求される、電力ケーブル１１０にコーン保持部材１４０を装着させた後に電力ケーブル１１０の導体１１２に導体引出部材１７０を接続しその接続部１７０ａを圧縮する作業や、その後、電力ケーブル１１０にがい管１２０を被せる作業において、コーン保持部材１４０を仮置き台部１０で所定高さに保持できる。そのため、電力ケーブル終端部工事においてコーン保持部材１４０を所定高さで保持することが必要な間、作業者がコーン保持部材１４０を所定の高さで保持することが不要とされ、その分、作業者はコーン保持部材１４０を保持する負担が軽減されるとともに他の作業に専念することができ、工事の施工効率が上がる。
【００６１】
本発明の仮置き台１では、各固定部３０が、がい管１２０を固定するための各支持がいし２１０を利用して位置きめされる（図１５乃至１７参照）ことから、仮置き台１専用の位置決め部材を基台２００側に新たに設ける必要がない。そのため、電力ケーブル終端工事の設備コストが抑えられる。また、本発明の仮置き台１では、支持がいし２１０を介して仮置き台１を確実に基台２００に固定することができる。
【００６２】
本発明の仮置き台１では、第１支持脚２２と仮置き台部１０とが回動接続機構にて接続され、第２支持脚２４と仮置き台部１０とが係止機構にて係止状態あるいは係止解除状態となるように構成され、第１支持脚２２と第２支持脚２４とが互いに回転可能に支持されている（図１８乃至２１参照）。これによって、仮置き台１は、各支持がいし２１０から取外された際コンパクトに折りたたむことができる（図２１参照）ので、収納時や持ち運び時に便利である。
【００６３】
本発明の仮置き台１では、仮置き面１２ａの縁部の一部から台部貫通孔１２ｂに至る切欠空間部１２ｃが形成されている（図１５,１６参照）。このことから、仮置き台１は、電力ケーブル１１０が切欠空間部１２ｃを通じて台部貫通孔１２ｂに位置するように前進させることができ（図５,６参照）、また、電力ケーブル１１０が切欠空間部１２ｃを通じて仮置き台１から外れた位置にくるように後退させることができる（図９,１０参照）。そのため、電力ケーブル終端工事において仮置き台１を利用しても電力ケーブル１１０を動かす必要はなく、工事の各作業工程に影響がない。
【００６４】
本発明の仮置き台１では、台部貫通孔１２ｂの内径が、コーン部材１３０の外形よりも大きい寸法に設定されている（図１６参照）。このことから、例えば上述の実施形態の電力ケーブル終端部工事方法から手順を変更し、仮置き面１２ａにコーン保持部材１４０を仮置きした状態で、台部貫通孔１２ｂを通じてコーン部材１３０を下からコーン保持部材１４０の保持部材貫通孔１４０ａに配置させることができる。この作業の間、作業者はコーン保持部材１４０を所定の高さで保持することが不要であり、その分、他の作業に専念することができる。そのため、電力ケーブル終端工事の施工効率が上がる。
【００６５】
本発明の仮置き台１では、仮置き面１２ａにゴムシートが張られている。そのため、仮置き面１２ａに仮置きされたコーン保持部材１４０の損傷を防止できる。
【００６６】
本発明の電力ケーブル終端部工事方法では、コーン保持部材１４０を電力ケーブル１１０に装着した後、コーン保持部材１４０を仮置き面１２ａに仮置きした状態で電力ケーブル１１０の導体１１２に導体引出部材１７０を接続し、また、がい管１２０を電力ケーブル１１０に被せる（図８,９参照）。そのため、これらの作業の間、作業者がコーン保持部材１４０を所定の高さで保持することが不要とされ、その分、作業者は他の作業に専念することができ、工事の施工効率が上がる。
【符号の説明】
【００６７】
１     仮置き台
１０   仮置き台部
１２ａ 仮置き面
１２ｂ 台部貫通孔
２０   脚部
３０   固定部
１１０ 電力ケーブル
１１２ 導体
１１４ 絶縁層
１２０ がい管
１２０ａ      がい管貫通孔
１３０ コーン部材
１３０ａ      コーン貫通孔
１４０ コーン保持部材
１４０ａ      保持部材貫通孔
１７０ 導体引出部材
２００ 基台
【図１】
0006313135.tif 000002
【図２】
0006313135.tif 000003
【図３】
0006313135.tif 000004
【図４】
0006313135.tif 000005
【図５】
0006313135.tif 000006
【図６】
0006313135.tif 000007
【図７】
0006313135.tif 000008
【図８】
0006313135.tif 000009
【図９】
0006313135.tif 000010
【図１０】
0006313135.tif 000011
【図１１】
0006313135.tif 000012
【図１２】
0006313135.tif 000013
【図１３】
0006313135.tif 000014
【図１４】
0006313135.tif 000015
【図１５】
0006313135.tif 000016
【図１６】
0006313135.tif 000017
【図１７】
0006313135.tif 000018
【図１８】
0006313135.tif 000019
【図１９】
0006313135.tif 000020
【図２０】
0006313135.tif 000021
【図２１】
0006313135.tif 000022